(57)【要約】【課題】データの不正な複製を防止する。【解決手段】コンピュータ１は、ロッカーサーバ４と記録再生装置２とに送信指示コマンドを送信する。記録再生装置２は、この送信指示コマンドを解読し、記録再生用ディスク１００のプログラムエリアに記録されている楽曲データを読み出して、コンピュータ１に送信する。コンピュータ１は、この楽曲データを、インターネット５を介してロッカーサーバ４に転送する。コンピュータ１は、続いて、記録再生装置２に消去指示コマンドを送信する。記録再生装置２は、このコマンドを解読して、ロッカーサーバ４に送信された楽曲データと同一の楽曲データを、プログラムエリアから消去する。【選択図】  図１
2004185706.tif 000002
【特許請求の範囲】
【請求項１】
再生用データを、記録可能な記録媒体の再生用データ記録領域に記録して再生する記録再生装置において、
前記記録媒体の再生用データ記録領域に記録された再生用データを、前記記録媒体とは異なる記憶装置に送信するデータ送信手段と、
前記データ送信手段が送信したものと同一の再生用データを、前記記録媒体の再生用データ記録領域から消去する消去手段と、を備えた、
ことを特徴とする記録再生装置。
【請求項２】
記録可能な記録媒体のデータ記録領域にデータを記録して再生する記録再生装置に、データ配信元から配信されたデータを転送するデータ転送装置において、前記記録媒体のデータ記録領域に記録されている送信対象としてのデータの識別情報を前記データ配信元に送信し、前記送信対象のデータのデータ保管先への送信を依頼する送信依頼手段と、
前記送信対象のデータの受信を完了した旨の受信完了通知を前記データ保管先から受信して、前記データ保管先に送信されたものと同一のデータの前記記録媒体のデータ記録領域からの消去を前記記録再生装置に指示する消去指示手段と、を備えた、
ことを特徴とするデータ転送装置。
【請求項３】
データを配信するデータ配信装置において、
配信したデータのデータ保管先への送信依頼を、送信対象のデータの識別情報とともに受信する受信手段と、
前記受信手段が受信した識別情報に基づいて特定されるデータをデータ保管先に送信する送信手段と、を備えた、
ことを特徴とするデータ配信装置。
【請求項４】
配信したデータの配信ログ情報を生成する配信ログ情報生成手段と、
前記受信手段が受信した識別情報と前記配信ログ情報生成手段が生成した配信ログ情報とを比較し、前記識別情報によって特定されるデータが配信したものであるか否かを前記配信ログ情報に基づいて判定する判定手段と、を備え、
前記送信手段は、前記識別情報によって特定されるデータのうち、前記判定手段が配信したものであると判定したデータを前記データ保管先に送信するように構成されたものである、
ことを特徴とする請求項３に記載のデータ配信装置。
【請求項５】
前記送信手段が送信依頼を受信してから、前記データ保管先からの受信完了通知を受信するまで、前記データ保管先に送信したデータの読み出しを禁止する読み出し禁止手段を備えた、
ことを特徴とする請求項３又は４に記載のデータ配信装置。
【請求項６】
データを配信するデータ配信システムにおいて、
データを配信するデータ配信装置と、
再生用データを記録可能な記録媒体の再生用データ記録領域に記録して再生する記録再生装置と、
前記データ配信装置から配信されたデータを再生用データとして前記記録再生装置に転送するデータ転送装置と、
データを保管するためのデータ保管装置と、
を備え、
前記データ転送装置は、前記記録媒体の再生用データ記録領域に記録されている再生用データのうち、送信対象のデータの前記データ保管装置への送信依頼を、当該データの識別情報とともに前記データ配信装置に送信し、前記データ保管装置から受信した受信完了通知を受信して、前記データ保管装置に送信されたものと同一のデータの消去を前記記録再生装置に指示するように構成され、
前記データ配信装置は、前記データ転送装置からの送信依頼を受信して前記識別情報に基づいて特定されるデータを、前記データ保管装置に送信するように構成され、
前記記録再生装置は、前記データ転送装置からの消去指示に従って、前記データ保管装置に送信されたものと同一のデータを前記記録媒体の再生用データ記録領域から消去するように構成された、
ことを特徴とするデータ配信システム。
【請求項７】
記録可能な記録媒体の再生用データ記録領域に記録された再生用データを送信するステップと、
前記送信したものと同一の再生用データを前記記録媒体の再生用データ記録領域から消去するステップと、を備えた、
ことを特徴とするデータ送信方法。
【請求項８】
コンピュータに、
記録可能な記録媒体の再生用データ記録領域に記録された再生用データを送信する手順、
送信したものと同一の再生用データを前記記録媒体の再生用データ記録領域から消去する手順、
を実行させるためのプログラム。
【発明の詳細な説明】
【０００１】
【発明の属する技術分野】
本発明は、記録再生装置、データ転送装置、データ配信装置、データ配信システム、データ送信方法及びプログラムに関する。
【０００２】
【従来の技術】
サーバに記憶した楽曲データ等をクライアントに配信するような配信システムがある。
【０００３】
このような配信システムでは、ＭＤ（ミニデスク：Ｍｉｎｉ  Ｄｉｓｋ）のような記録可能な記録媒体に記録される楽曲データをサーバの記憶部に記憶しておく。サーバは、この楽曲データをネットワークを介してクライアントに配信する。
また、ダウンロード等によって取得した楽曲データを、ネットワーク上の特定のサーバ（ロッカーサーバ）に保存し、必要に応じて再度、楽曲データをダウンロードして聴取するシステムも提案されている。
しかし、ロッカーサーバにコピーされたデータを別の記録媒体にコピーすると、著作権の保護を図ることができない。
【０００４】
このため、ロッカーサーバが楽曲データを受け付けた後に、記録媒体を再生装置から排出すると、排出信号が示すＴＯＣ（Ｔａｂｌｅ  Ｏｆ  Ｃｏｎｔｅｎｔｓ）情報と対応付けられたデータを記憶部から消去する（例えば、特許文献１参照）。また、記録媒体のＵＴＯＣ（Ｕｓｅｒ’ｓ  Ｔａｂｌｅ  Ｏｆ  Ｃｏｎｔｅｎｔｓ）領域に記録されたＵＴＯＣ情報のみを書き替えるようにしたものもある。このようにして、従来のシステムは、記録媒体に記録された楽曲データを複製できないようにして、著作権の保護を図っている。
【０００５】
【特許文献１】
特開２００２−７４８１４号公報（第３頁、第８頁）
【０００６】
【発明が解決しようとする課題】
しかし、ＵＴＯＣ情報（管理データ領域の情報）を書き替えても、記録媒体のデータ記録領域には、楽曲データが記録されたままになっている。従って、データ記録領域に記録されている楽曲データを読み出すようなツールがあれば、楽曲データの復元、複製が可能となり、著作権の侵害といった問題も起こりうる。
【０００７】
本発明は、このような従来の問題点に鑑みてなされたもので、データの不正な複製を防止することを可能とする記録再生装置、データ転送装置、データ配信装置、データ配信システム、データ送信方法及びプログラムを提供することを目的とする。
【０００８】
【課題を解決するための手段】
この目的を達成するため、本発明の第１の観点に係る記録再生装置は、
再生用データを、記録可能な記録媒体の再生用データ記録領域に記録して再生する記録再生装置において、
前記記録媒体の再生用データ記録領域に記録された再生用データを、前記記録媒体とは異なる記憶装置に送信するデータ送信手段と、
前記データ送信手段が送信したものと同一の再生用データを、前記記録媒体の再生用データ記録領域から消去する消去手段と、を備えたものである。
【０００９】
本発明の第２の観点に係るデータ転送装置は、
記録可能な記録媒体のデータ記録領域にデータを記録して再生する記録再生装置に、データ配信元から配信されたデータを転送するデータ転送装置において、前記記録媒体のデータ記録領域に記録されている送信対象としてのデータの識別情報を前記データ配信元に送信し、前記送信対象のデータのデータ保管先への送信を依頼する送信依頼手段と、
前記送信対象のデータの受信を完了した旨の受信完了通知を前記データ保管先から受信して、前記データ保管先に送信されたものと同一のデータの前記記録媒体のデータ記録領域からの消去を前記記録再生装置に指示する消去指示手段と、を備えたものである。
【００１０】
本発明の第３の観点に係るデータ配信装置は、
データを配信するデータ配信装置において、
配信したデータのデータ保管先への送信依頼を、送信対象のデータの識別情報とともに受信する受信手段と、
前記受信手段が受信した識別情報に基づいて特定されるデータをデータ保管先に送信する送信手段と、を備えたものである。
【００１１】
配信したデータの配信ログ情報を生成する配信ログ情報生成手段と、
前記受信手段が受信した識別情報と前記配信ログ情報生成手段が生成した配信ログ情報とを比較し、前記識別情報によって特定されるデータが配信したものであるか否かを前記配信ログ情報に基づいて判定する判定手段と、を備え、
前記送信手段は、前記識別情報によって特定されるデータのうち、前記判定手段が配信したものであると判定したデータを前記データ保管先に送信するように構成されたものであってもよい。
【００１２】
前記送信手段が送信依頼を受信してから、前記データ保管先からの受信完了通知を受信するまで、前記データ保管先に送信したデータの読み出しを禁止する読み出し禁止手段を備えてもよい。
【００１３】
本発明の第４の観点に係るデータ配信システムは、
データを配信するデータ配信システムにおいて、
データを配信するデータ配信装置と、
再生用データを記録可能な記録媒体の再生用データ記録領域に記録して再生する記録再生装置と、
前記データ配信装置から配信されたデータを再生用データとして前記記録再生装置に転送するデータ転送装置と、
データを保管するためのデータ保管装置と、
を備え、
前記データ転送装置は、前記記録媒体の再生用データ記録領域に記録されている再生用データのうち、送信対象のデータの前記データ保管装置への送信依頼を、当該データの識別情報とともに前記データ配信装置に送信し、前記データ保管装置から受信した受信完了通知を受信して、前記データ保管装置に送信されたものと同一のデータの消去を前記記録再生装置に指示するように構成され、
前記データ配信装置は、前記データ転送装置からの送信依頼を受信して前記識別情報に基づいて特定されるデータを、前記データ保管装置に送信するように構成され、
前記記録再生装置は、前記データ転送装置からの消去指示に従って、前記データ保管装置に送信されたものと同一のデータを前記記録媒体の再生用データ記録領域から消去するように構成されたものである。
【００１４】
本発明の第５の観点に係るデータ送信方法は、
記録可能な記録媒体の再生用データ記録領域に記録された再生用データを送信するステップと、
前記送信したものと同一の再生用データを前記記録媒体の再生用データ記録領域から消去するステップと、を備えたものである。
【００１５】
本発明の第６の観点に係るプログラムは、
コンピュータに、
記録可能な記録媒体の再生用データ記録領域に記録された再生用データを送信する手順、
送信したものと同一の再生用データを前記記録媒体の再生用データ記録領域から消去する手順、
を実行させるためのものである。
【００１６】
【発明の実施の形態】
以下、本発明の実施の形態に係るデータ配信システムを図面を参照して説明する。
まず、第１の実施の形態について説明する。
第１の実施の形態に係るデータ配信システムの構成を図１に示す。
データ配信システムは、コンピュータ１と、記録再生装置２と、ダウンロードコンテンツサーバ３と、ロッカーサーバ４と、を備えて構成される。このデータ配信システムは、ダウンロードコンテンツサーバ３が配信した楽曲データを、コンピュータ１が記録再生装置２に転送するシステムである。それとともに、このデータ配信システムは、記録媒体である記録再生用ディスク１００に記録されている再生用データとしての楽曲データをロッカーサーバ４に送信する。
【００１７】
コンピュータ１は、記録再生装置２にコマンドを送り、記録再生装置２に装填された記録再生用ディスク１００に記録された楽曲データを、ロッカーサーバ４に転送して、転送した楽曲データと同一の楽曲データを記録再生用ディスク１００から消去させるものである。
【００１８】
コンピュータ１は、図２に示すように、制御部１１と、記憶部１２と、入力部１３と、表示部１４と、機器接続部１５と、通信部１６と、から構成されている。
【００１９】
記憶部１２は、ロッカーサーバ４と記録再生装置２との間で送受信される楽曲データのバッファメモリとして機能するものであり、ＲＡＭ（Ｒａｎｄｏｍ  Ａｃｓｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）等を備える。記憶部１２は、制御部１１が実行するプログラムを記憶する。
【００２０】
制御部１１は、記憶部１２に記憶されたプログラムに従って、コンピュータ１全体を制御する。また、制御部１１は、楽曲データをロッカーサーバ４に保管する場合、記録再生装置２に送信指示コマンドを送信して、当該楽曲データの送信を指示する。
【００２１】
楽曲データのロッカーサーバ４への送信後、制御部１１は、記録再生装置２に消去指示コマンドを送信して、送信した楽曲データと同一の楽曲データのプログラムエリアからの消去を指示する。
【００２２】
尚、制御部１１は、送信対象の楽曲データへのアクセスを制限する旨の指示をする。また、制御部１１は、ロッカーサーバ４への楽曲データの送信後、消去が完了してから、このアクセス制限を解除する。
【００２３】
例えば、制御部１１は、アクセスを制限する場合、その旨をロッカーサーバ４に指示する。ロッカーサーバ４は、アクセス可否フラグに「１」をセットして、送信される楽曲データにアクセスできないようにする。また、制御部１１がアクセス制限の解除を指示すると、ロッカーサーバ４は、このアクセス可否フラグを「０」にセットする。
【００２４】
入力部１３は、ユーザＩＤ、パスワード等のデータを入力するためのものであり、キーボード、マウス等によって構成される。
【００２５】
表示部１４は、ＬＣＤ（Ｌｉｑｕｉｄ  Ｃｒｙｓｔａｌ  Ｄｉｓｐｌａｙ）等で構成され、データやメッセージ等を表示するためのものである。
【００２６】
機器接続部１５は、記録再生装置２と接続するためのＵＳＢ−通信インターフェースである。
【００２７】
通信部１６は、インターネット５に接続されて、インターネット５を介してダウンロードコンテンツサーバ３、ロッカーサーバ４との間でデータを送受信するためのものである。
【００２８】
記録再生装置２は、記録再生用ディスク１００に楽曲データを記録したり、記録再生用ディスク１００に記録されている楽曲データを再生したりするためのものである。
【００２９】
記録再生用ディスク１００は、ＭＤのような記録再生が可能なディスク状記録媒体であり、記録再生用ディスク１００には、図３に示すように、リードインエリアと、Ｕ−ＴＯＣエリアと、プログラムエリアと、リードアウトエリアと、が形成されている。
【００３０】
リードインエリアは、データの読み出しを開始する領域である。
Ｕ−ＴＯＣエリアは、プログラムエリアに記録された楽曲データ記録位置等を特定するためのＵ−ＴＯＣ情報を記録する領域である。
プログラムエリアは、楽曲データが記録される領域である。
リードアウトエリアは、楽曲データの読み出しが正確に行えなくなることを防ぐための領域である。
【００３１】
記録再生装置２は、図４に示すように、センサ２１と、ヘッド部２２と、インターフェース部２３と、操作部２４と、表示部２５と、ＴＯＣメモリ２６と、処理制御部２７と、から構成されている。
【００３２】
センサ２１は、記録再生用ディスク１００が装填されたことを検出するためのものである。
ヘッド部２２は、レーザーピックアップ、磁気ヘッド等から構成され、処理制御部２７の制御下において、記録再生用ディスク１００にデータを記録し、また、記録されているデータを読み出すためのものである。また、ヘッド部２２は、記録再生用ディスク１００のプログラムエリアに記録されている楽曲データを消去する。楽曲データを消去する場合、ヘッド部２２は、磁界変調を行って楽曲データを消去する。あるいは、ヘッド部２２は、磁界変調せずに、レーザーピックアップによる発光のみで記録再生用ディスク１００のプログラムエリアに同一のビットデータを記録することにより、楽曲データを消去することができる。。
【００３３】
インターフェース部２３は、コンピュータ１との間で楽曲データを送受信するためのものであり、ＵＳＢ−通信インターフェース等から構成される。
インターフェース部２３は、コンピュータ１から送信された伝送信号を、伝送規約に従って読み取り可能なデータやコマンドに変換したり、コンピュータ１に送信するデータや通知を、伝送規約に従って伝送信号に変換したりする。
【００３４】
操作部２４は、ユーザが操作した情報を入力し、入力した情報を処理制御部２７に送信するためのものであり、プッシュボタンスイッチ、キーパッド等から構成される。
【００３５】
表示部２５は、ユーザに必要な情報を表示するためのものであり、ＬＣＤパネル等から構成される。
【００３６】
ＴＯＣメモリ２６は、記録再生用ディスク１００のＵ−ＴＯＣエリアに記録されているＵ−ＴＯＣ情報を記憶するためのものである。
【００３７】
処理制御部２７は、記録再生装置２全体を制御するためのものである。また、処理制御部２７は、コンピュータ１が送信したコマンドを解読して送信対象の楽曲データをコンピュータ１に送信し、ロッカーサーバ４に送信された楽曲データと同一の楽曲データを、プログラムエリアから消去する。
【００３８】
ダウンロードコンテンツサーバ３は、コンピュータ１がダウンロードする楽曲データ（コンテンツ）を記憶し、コンピュータ１からの要求に応じて、記憶した楽曲データを配信するためのコンピュータであり、図５に示すように、記憶装置３１と、通信部３２と、処理制御部３３と、を備える。
【００３９】
記憶装置３１は、配信する楽曲データと、処理制御部３３が楽曲データの配信等を実行するためのプログラムと、を記憶する。また、記憶装置３１は、予め登録されたユーザＩＤとパスワードとを記憶する。
【００４０】
通信部３２は、ＴＣＰ／ＩＰ  （Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に従い、処理制御部３３からのデータをインターネット５に伝送するための信号に変換したり、インターネット５からの伝送信号をデータに変換したりするためのものである。
【００４１】
処理制御部３３は、記憶装置３１に記憶されているプログラムに従って、ダウンロードコンテンツサーバ３全体を制御する。
【００４２】
ダウンロードコンテンツサーバ３は、コンピュータ１からダウンロードの要求があったとき、コンピュータ１から送信されたユーザＩＤとパスワードとを受信してユーザの認証処理を行う。ダウンロードコンテンツサーバ３は、ユーザの認証処理を行うため、受信したユーザＩＤと記憶装置３１に記憶されたユーザＩＤとを、また、受信したパスワードと記憶装置３１に記憶したパスワードとの照合を行う。
【００４３】
ロッカーサーバ４は、ユーザの楽曲データを保管するためのコンピュータであり、ダウンロードコンテンツサーバ３と同様の記憶装置（図示せず）と通信部（図示せず）と処理制御部（図示せず）とを備える。
【００４４】
また、ロッカーサーバ４は、ダウンロードコンテンツサーバ３と同様にユーザの認証処理を行う機能を有する。
【００４５】
また、ロッカーサーバ４は、コンピュータ１から送信される楽曲データのアクセスを制限する旨の指示があると、楽曲データのアクセスを制限する。楽曲データのアクセスを制限するためには、アクセス可否フラグを用いるのが一般的である。
【００４６】
例えば、ロッカーサーバ４は、アクセスを制限する場合には、アクセス可否フラグに「１」を、アクセス制限を解除する場合には、アクセス可否フラグに「０」をセットする。
【００４７】
次に第１の実施の形態に係るデータ配信システムの動作を説明する。
ユーザによって、記録再生用ディスク１００が記録再生装置２に装填されると、記録再生装置２が動作する。即ち、センサ２１は、記録再生用ディスク１００が装填されたことを検出する。センサ２１が記録再生用ディスク１００の装填を検出すると、処理制御部２７は、記録再生用ディスク１００からのデータの読み出しを行うようにヘッド部２２を制御する。
【００４８】
ヘッド部２２は、始めにＵ−ＴＯＣ情報を読み込み、処理制御部２７は、読み込んだＵ−ＴＯＣ情報をＴＯＣメモリ２６に記憶する。処理制御部２７は、ＴＯＣメモリ２６に記憶されたＵ−ＴＯＣ情報に基づいて、プログラムエリアに記録されている楽曲データの記録位置を特定する。また、処理制御部２７は、ＴＯＣメモリ２６に記憶されたＵ−ＴＯＣ情報に基づいて、プログラムエリアの空きエリアを識別する。
【００４９】
記録再生装置２がコンピュータ１に接続されると、コンピュータ１と記録再生装置２とは、楽曲データの送受信が可能となる。
【００５０】
また、ユーザが、入力部１３を操作して、ユーザＩＤとパスワードとを入力し、楽曲データのダウンロードを要求すると、コンピュータ１の制御部１１は、この操作情報に従って、インターネット５、通信部１６を介して、ダウンロードコンテンツサーバ３に、ユーザが希望する楽曲データの配信を要求する。
【００５１】
制御部１１は、通信部１６を介してダウンロードコンテンツサーバ３にユーザＩＤとパスワードとを送信してダウンロードコンテンツサーバ３にアクセスする。
【００５２】
ダウンロードコンテンツサーバ３は、コンピュータ１からのユーザＩＤとパスワードとを受信してユーザの認証処理を行う。ダウンロードコンテンツサーバ３は、受信したユーザＩＤとパスワードとを、予め記憶しているユーザＩＤとパスワードとそれぞれ照合し、一致するか否かを判別して認証処理を行う。
【００５３】
受信したユーザＩＤ、パスワードが、予め記憶しているユーザＩＤ、パスワードと、それぞれ不一致の場合、ダウンロードコンテンツサーバ３は、アクセスした者はユーザと認めることはできないと判定し、アクセス指示のあった回線を閉じて、そのユーザの認証処理を終了させる。
【００５４】
受信したユーザＩＤ、パスワードが、予め記憶しているユーザＩＤ、パスワードと、それぞれ一致した場合、ダウンロードコンテンツサーバ３は、アクセスした者はユーザと認められると判定し、制御部１１にアクセスの許可を通知し、通信セッションを確立して、認証処理を完了する。
【００５５】
なお、先の認証処理は、通信セッションを確立するに際して、コンピュータ１においても事前にユーザ登録をしておき、その両者において登録ユーザの認証処理を実行するものであってもよい。
【００５６】
通信セッションを確立するには、コンピュータ１からインターネット５への接続が有線接続または無線接続のどちらであってもよい。
【００５７】
通信セッションの確立後、ダウンロードコンテンツサーバ３は、要求された楽曲データを記憶装置３１から読み出して、読み出した楽曲データをコンピュータ１に配信する。楽曲データは、インターネット５を介して、コンピュータ１に供給される。
【００５８】
コンピュータ１の制御部１１は、ダウンロードコンテンツサーバ３から配信された楽曲データを、通信部１６を介して受信する。制御部１１は、受信した楽曲データを、一旦、記憶部１２に記憶する。
【００５９】
制御部１１は、記憶部１２に記憶した楽曲データを、機器接続部１５を介して記録再生装置２に送信する。
記録再生装置２は、この楽曲データを受信して、記録再生用ディスク１００に記録する。
【００６０】
記録再生装置２の処理制御部２７は、ＴＯＣメモリ２６に記憶されているＵ−ＴＯＣ情報に基づいて、プログラムエリア内の空き領域を特定し、特定した空き領域に、受信した楽曲データを記録する。
【００６１】
ユーザは、入力部１３を操作して、記録再生用ディスク１００に記録されている楽曲データをロッカーサーバ４に保管しておくこともできる。
楽曲データをロッカーサーバに保管しておくことができれば、ユーザは、容量の大きな記録媒体を持つ必要がなく、大量のデジタル音楽コンテンツを安心して保管することができる。
【００６２】
この場合、ユーザは、入力部１３を操作して、ユーザＩＤとパスワードとを入力し、記録再生用ディスク１００に記録されている楽曲データを指定してロッカーサーバ４への送信を指示する。コンピュータ１の制御部１１は、この送信指示の情報を、入力部１３から取得し、送信対象の楽曲データをロッカーサーバ４に送信するように記録再生装置２を制御する。
【００６３】
この動作を図６及び図７のフローチャートに示す。
コンピュータ１の制御部１１は、送信指示コマンドを記録再生装置２に送信する（ステップＳ１１）。
【００６４】
また、制御部１１は、これから送信する楽曲データのアクセスを制限する旨の指示をロッカーサーバ４に送信する（ステップＳ１２）。
ロッカーサーバ４は、アクセスを制限する旨の指示をコンピュータ１から受信して、アクセス可否フラグに「１」をセットする。
【００６５】
記録再生装置２の処理制御部２７は、送信指示コマンドを受信して、受信した送信指示コマンドを解読する（ステップＳ１３）。
処理制御部２７は、解読した送信指示コマンドに基づいて、プログラムエリアから楽曲データを読み出し、読み出した楽曲データをコンピュータ１に送信する（ステップＳ１４）。
処理制御部２７は、送信が完了すると、送信完了通知を送信する（ステップＳ１５）。
【００６６】
コンピュータ１の制御部１１は、記録再生装置２から送信された楽曲データのロッカーサーバ４への送信を中継する（ステップＳ１６）。即ち、制御部１１は、記録再生装置２から送信された楽曲データを受信して、受信した楽曲データをロッカーサーバ４に転送する。
【００６７】
また、制御部１１は、記録再生装置２から送信された送信完了通知を受信すると（ステップＳ１７）、受信した送信完了通知をロッカーサーバ４へ送信する（ステップＳ１８）。
【００６８】
ロッカーサーバ４は、コンピュータ１からインターネット５を介して転送された楽曲データを受信する（ステップＳ１９）。ロッカーサーバ４は、受信した楽曲データを格納する。
【００６９】
ロッカーサーバ４は、コンピュータ１から送信完了通知を受信したか否かを判定する（ステップＳ２０）。
【００７０】
コンピュータ１から送信完了通知を受信していないと判定した場合（ステップＳ２０においてＮｏ）、ロッカーサーバ４は、楽曲データの再送を要求する再送要求コマンドを、インターネット５を介してコンピュータ１に送信する（ステップＳ２１）。
【００７１】
コンピュータ１の制御部１１は、ロッカーサーバ４から、再送要求コマンドを受信すると、このコマンドを解読して、再度、記録再生装置２に送信指示コマンドを送信する（ステップＳ１１）。制御部１１は、記録再生装置２からの楽曲データをロッカーサーバ４へ送信して、記録再生装置２から送信完了通知を受信すると、受信した送信完了通知をロッカーサーバ４へ送信する（ステップＳ１８）。
【００７２】
ロッカーサーバ４は、この送信完了通知を受信したと判定した場合（ステップＳ２０においてＹｅｓ）、受信完了通知をコンピュータ１に送信する（ステップＳ２２）。
【００７３】
コンピュータ１の制御部１１は、受信完了通知を受信すると（ステップＳ２３）、楽曲データの消去を指示する消去指示コマンドを記録再生装置２に送信する（ステップＳ２４）。
【００７４】
記録再生装置２の処理制御部２７は、消去指示コマンドを受信して解読し（ステップＳ２５）、ロッカーサーバ４に送信された楽曲データと同一の楽曲データをプログラムエリアから消去する（ステップＳ２６）。
【００７５】
処理制御部２７は、消去が完了すると、消去が完了した旨を示す消去完了通知を、コンピュータ１に送信する（ステップＳ２７）。
【００７６】
コンピュータ１の制御部１１は、記録再生装置２から送信された消去完了通知を受信して（ステップＳ２８）、送信した楽曲データのアクセス制限を解除する旨の指示をロッカーサーバ４へ送信する（ステップＳ２９）。
【００７７】
ロッカーサーバ４は、この指示を受信すると、アクセス可否フラグに「０」をセットする。アクセス可否フラグに「０」がセットされると、格納した楽曲データへのアクセスが可能となり、ロッカーサーバ４上の楽曲データにユーザ使用権が付与されることになる。
【００７８】
以上説明したように、本実施の形態によれば、ロッカーサーバ４に楽曲データを保管する場合、記録再生装置２は、コンピュータ１から送信されたコマンドに従って、記録再生用ディスク１００のプログラムエリアの楽曲データを送信する。また、記録再生装置２は、楽曲データの送信後、送信された楽曲データと同一の楽曲データをプログラムエリアから消去するようにした。
【００７９】
従って、楽曲データの送信後は、完全に楽曲データが消去されているため、データ移動という概念が当てはまり、楽曲データの不正な復元、複製を防止することができ、さらには、著作権の侵害を防止することができる。
【００８０】
次に、第２の実施の形態について説明する。
第２の実施の形態に係るデータ配信システムは、ダウンロードコンテンツサーバがロッカーサーバに楽曲データを送信することにより、記録再生装置からロッカーサーバへのデータ送信を行わないようにしたものである。
【００８１】
第２の実施の形態に係るデータ配信システムの構成は、図１に示す構成と同じである。但し、ダウンロードコンテンツサーバ３の記憶装置３１は、配信した楽曲データの配信ログを記憶する。
【００８２】
その配信ログの内容の一例を図８に示す。
この例では、配信ログは、配信番号（Ｎｏ）と、配信日時と、利用者ＩＤと、群番号（Ｎｏ）と、群タイトルと、楽曲番号と、からなる。
【００８３】
群タイトルは、アルバム名、曲名、アーティスト名等を示すデータである。
楽曲番号は、楽曲群に含まれている楽曲データを特定するためのものである。
【００８４】
次に第２の実施の形態に係るデータ配信システムの動作を説明する。
まず、ダウンロードコンテンツサーバ３が楽曲データを配信する場合の動作を、図９に示すフローチャートに基づいて説明する。
【００８５】
コンピュータ１の制御部１１は、ダウンロードコンテンツサーバ３に、楽曲データの配信を要求する（ステップＳ４１）。
ダウンロードコンテンツサーバ３の処理制御部３３は、この配信要求を受信して（ステップＳ４２）、要求された楽曲データをコンピュータ１に配信する（ステップＳ４３）。
【００８６】
コンピュータ１の制御部１１は、ダウンロードコンテンツサーバ３から楽曲データが配信されると、この楽曲データを受信し、受信した楽曲データを記録再生装置２に送信する（ステップＳ４４）。
【００８７】
記録再生装置２の処理制御部２７は、コンピュータ１から送信された楽曲データを受信して（ステップＳ４５）、受信した楽曲データを記録再生用ディスク１００のプログラムエリアに記録する（ステップＳ４６）。
【００８８】
一方、ダウンロードコンテンツサーバ３の処理制御部３３は、楽曲データを配信すると、配信ログを作成する（ステップＳ４７）。
処理制御部３３は、配信ログに基づいて、記録再生装置２に配信内容を示す配信情報を作成する。処理制御部３３は、作成した配信情報を、インターネット５を介してコンピュータ１に送信する（ステップＳ４８）。
【００８９】
コンピュータ１の制御部１１は、ダウンロードコンテンツサーバ３からの配信情報を受信して（ステップＳ４９）、受信した配信情報を記録再生装置２に送信する（ステップＳ５０）。
【００９０】
記録再生装置２の処理制御部２７は、コンピュータ１から送信された配信情報を受信して（ステップＳ５１）、受信した配信情報をＴＯＣメモリ２６に記憶する（ステップＳ５２）。
【００９１】
尚、処理制御部２７は、電源スイッチをオフする前に、あるいは、記録再生用ディスク１００が引き抜かれる前に、配信情報も含めて、ＴＯＣメモリ２６に記憶したＵ−ＴＯＣ情報を記録再生用ディスク１００のＵ−ＴＯＣエリアに記録する。
【００９２】
次に、ユーザが、コンピュータ１の入力部１３に楽曲データのロッカーサーバ４への送信指示を入力すると、コンピュータ１の制御部１１は、この送信指示の情報を入力部１３から取得する。
【００９３】
送信指示が入力されたときの動作を、図１０と図１１とに示すフローチャートに基づいて説明する。
コンピュータ１の制御部１１は、送信対象の楽曲データを特定するための識別情報の送信を指示する送信指示コマンドを送信する（ステップＳ６１）。
【００９４】
記録再生装置２の処理制御部２７は、送信指示コマンドを受信して解読し（ステップＳ６２）、記録再生用ディスク１００のＵ−ＴＯＣエリアに記録された送信対象の楽曲データの配信情報を読み出す。そして、処理制御部２７は、読み出した配信情報に基づいて、送信対象の楽曲データを特定するための識別情報を作成する。この識別情報には、楽曲番号とともに、配信情報に含まれている配信番号等が含まれる。処理制御部２７は、作成した識別情報をコンピュータ１に送信する（ステップＳ６３）。
【００９５】
コンピュータ１の制御部１１は、記録再生装置２から送信された識別情報を受信する（ステップＳ６４）。制御部１１は、受信した識別情報をダウンロードコンテンツサーバ３に送信して、識別情報で特定される楽曲データのロッカーサーバ４への送信を依頼する（ステップＳ６５）。
【００９６】
ダウンロードコンテンツサーバ３の処理制御部３３は、コンピュータ１から送信された識別情報を受信して（ステップＳ６６）、受信した識別情報と記憶装置３１に記憶されている配信ログとを比較する（ステップＳ６７）。
【００９７】
処理制御部３３は、受信した識別情報と記憶装置３１に記憶されている配信ログとが一致するか否かを判定する（ステップＳ６８）。
【００９８】
受信した識別情報と記憶装置３１に記憶されている配信ログとが不一致であれば、送信を依頼された楽曲データは、ダウンロードコンテンツサーバ３から配信されたものではない。従って、処理制御部３３は、受信した識別情報と配信ログとが不一致と判定した場合（ステップＳ６８においてＮｏ）、コンピュータ１に、ＮＧを通知する（ステップＳ６９）。
【００９９】
コンピュータ１の制御部１１は、このＮＧの通知を受信すると、表示部１４に、ＮＧである旨を表示する。
【０１００】
一方、受信した識別情報と配信ログとが一致すれば、送信を依頼された楽曲データは、ダウンロードコンテンツサーバ３から配信されたものである。従って、処理制御部３３は、受信した識別情報と配信ログとが一致すると判定した場合（ステップＳ６８においてＹｅｓ）、これから送信する楽曲データのアクセスを制限する旨の指示を送信する（ステップＳ７０）。
ロッカーサーバ４は、アクセスを制限する旨の指示をコンピュータ１から受信して、アクセス可否フラグに「１」をセットする。
【０１０１】
処理制御部３３は、第１の実施の形態のコンピュータ１と同じように、該当する楽曲データを記憶装置３１から読み出して、読み出した楽曲データを送信する（ステップＳ７１）。送信が完了すると、処理制御部３３は、送信完了通知をロッカーサーバ４へ送信する（ステップＳ７２）。
【０１０２】
ロッカーサーバ４は、ダウンロードコンテンツサーバ３から送信された楽曲データを受信し（ステップＳ７３）、送信完了通知を受信すると（ステップＳ７４）、受信完了通知をダウンロードコンテンツサーバ３に送信する（ステップＳ７５）。
【０１０３】
尚、ロッカーサーバ４が送信完了通知を受信できなかった場合、ロッカーサーバ４は、第１の実施の形態のステップＳ２１と同様に、再送要求コマンドをダウンロードコンテンツサーバ３に送信して、楽曲データの再送を要求する。
【０１０４】
次に、ダウンロードコンテンツサーバ３の処理制御部３３は、ロッカーサーバ４から受信完了通知を受信すると（ステップＳ７６）、受信した受信完了通知をコンピュータ１に送信する（ステップＳ７７）。
【０１０５】
コンピュータ１の制御部１１は、ダウンロードコンテンツサーバ３から送信された受信完了通知を受信して（ステップＳ７８）、消去指示コマンドを記録再生装置２に送信する（ステップＳ７９）。
【０１０６】
記録再生装置２の処理制御部２７は、コンピュータ１から送信された消去指示コマンドを受信して解読し（ステップＳ８０）、ロッカーサーバ４へ送信された楽曲データと同一の楽曲データをプログラムエリアから消去する（ステップＳ８１）。
【０１０７】
処理制御部２７は、記録再生用ディスク１００のＴＯＣメモリ２６に記録した配信情報を消去する（ステップＳ８２）。
処理制御部２７は、プログラムエリアの楽曲データとＴＯＣメモリ２６に記録した配信情報とを消去すると、消去完了通知をコンピュータ１に送信する（ステップＳ８３）。
【０１０８】
コンピュータ１の制御部１１は、記録再生装置２から送信された消去完了通知を受信すると（ステップＳ８４）、受信した消去完了通知をダウンロードコンテンツサーバ３に送信する（ステップＳ８５）。
【０１０９】
ダウンロードコンテンツサーバ３の処理制御部３３は、消去完了通知を受信すると（ステップＳ８６）、送信した楽曲データのアクセス制限を解除する旨の指示をロッカーサーバ４に送信する（ステップＳ８７）。
ロッカーサーバ４は、アクセス制限を解除する旨の指示をダウンロードコンテンツサーバ３から受信して、アクセス可否フラグに「０」をセットする。
【０１１０】
アクセス可否フラグに「０」がセットされると、ロッカーサーバ４上で、この楽曲データへのアクセスが可能となり、この楽曲データにユーザ使用権が付与される。
【０１１１】
次に、この第２の実施の形態に係るデータ配信システムの動作を具体的に説明する。
例えば、図８に示すように、楽曲番号「Ａ００１」の楽曲データをロッカーサーバ４に保管する場合、記録再生装置２の処理制御部２７は、記録再生用ディスク１００のＵ−ＴＯＣエリアに書き込まれた配信情報を読み出して、作成した識別情報をコンピュータ１に送信する（ステップＳ６３の処理）。コンピュータ１の制御部１１は、この識別情報をダウンロードコンテンツサーバ３に送信する（ステップＳ６５の処理）。
【０１１２】
ダウンロードコンテンツサーバ３の処理制御部３３は、この識別情報を受信して（ステップＳ６６の処理）、受信した識別情報と配信ログとを比較する（ステップＳ６７の処理）。
【０１１３】
例えば、受信した識別情報において、楽曲番号「Ａ００１」の楽曲データの利用者ＩＤが「０００１」ではなかった場合、ダウンロードコンテンツサーバ３の処理制御部３３は、受信した識別情報と記憶装置３１に記憶されている配信ログとが不一致と判定する（ステップＳ６８においてＮｏ）。
【０１１４】
この場合、送信要求対象の楽曲データは、ダウンロードコンテンツサーバ３から配信されたものではないため、処理制御部３３は、この楽曲データのロッカーサーバ４への送信をせずに、コンピュータ１に、ＮＧを通知する（ステップＳ６９の処理）。コンピュータ１の制御部１１は、この通知を受信すると、表示部１４にＮＧ表示をする。
【０１１５】
一方、楽曲番号「Ａ００１」の楽曲データの利用者ＩＤが「０００１」であった場合、ダウンロードコンテンツサーバ３の処理制御部３３は、受信した識別情報と記憶装置３１に記憶されている配信ログとが一致していると判定する（ステップＳ６８においてＹｅｓ）。
【０１１６】
受信した識別情報と記憶装置３１に記憶されている配信ログとが一致していると判定すると、ダウンロードコンテンツサーバ３の処理制御部３３は、まず、送信する楽曲データのアクセスを制限する（ステップＳ７０の処理）。次に、処理制御部３３は、配信した楽曲データと同一の楽曲番号「Ａ００１」の楽曲データを記憶装置３１から読み出して、読み出した楽曲データをロッカーサーバ４に送信する（ステップＳ７１の処理）。ロッカーサーバ４は、この楽曲データを受信して（ステップＳ７３の処理）、記憶装置（図示せず）に格納する。
【０１１７】
処理制御部３３は、ロッカーサーバ４からの受信完了通知を受信すると（ステップＳ７６の処理）、受信完了通知をコンピュータ１に送信する（ステップＳ７７の処理）。
【０１１８】
コンピュータ１と記録再生装置２とは、プログラムエリアに記録されている楽曲番号「Ａ００１」の楽曲データの消去処理を行う。即ち、記録再生装置２の処理制御部２７は、この楽曲番号「Ａ００１」の楽曲データをプログラムエリアから消去する（ステップＳ８１の処理）。消去が完了すると、コンピュータ１の制御部１１は、記録再生装置２から受信した消去完了通知をダウンロードコンテンツサーバ３に送信する（ステップＳ８５の処理）。
【０１１９】
ダウンロードコンテンツサーバ３の処理制御部３３は、この消去完了通知を受信して（ステップＳ８６の処理）、送信した楽曲データのアクセス制限を解除する（ステップＳ８７の処理）。
【０１２０】
以上説明したように、本実施の形態によれば、ダウンロードコンテンツサーバ３が、受信した識別情報と配信ログとを比較して、一致すれば、ユーザ向けに配信した楽曲データをロッカーサーバ４に送信するようにした。
【０１２１】
従って、コンピュータ１は、配信された楽曲データをロッカーサーバ４に送信する必要がないので、コンピュータ１のデータ転送処理を省くことができる。
【０１２２】
尚、本発明を実施するにあたっては、種々の形態が考えられ、上記実施の形態に限られるものではない。
例えば、第１の実施の形態では、楽曲データの供給元をダウンロードコンテンツサーバ３とした。しかし、楽曲データの供給元はダウンロードコンテンツサーバ３には限られない。例えば、楽曲データの供給元をＣＤ−ＲＯＭとすれば、上記実施の形態のシステムをダビングシステムにも適用することができる。
【０１２３】
また、コンピュータ１と記録再生装置２とを統合して１つの機器としてもよい。この場合、１つの機器としての記録再生装置２は、上記処理を行うためのハードウェアとプログラムとを備えるように構成される。そして、記録再生装置２は、上記コンピュータ１に代わって上記処理を実行する。このようにすれば、コンピュータ１を介さずに記録再生装置２を直接、インターネット５に接続することができる。このとき、記録再生装置２とコンピュータとを統合することによって不要となる処理は、省かれてもよいことは勿論である。
【０１２４】
また、インターネット５にコンピュータ１又は記録再生装置２を接続する場合、有線だけでなく、無線を用いることもでき、無線の場合、Ｂｌｕｅｔｏｏｔｈ、ＩＥＥＥ（Ｉｎｓｔｉｔｕｔｅ  ｏｆ  Ｅｌｅｃｔｒｏｎｉｃ  ａｎｄ  Ｅｌｅｃｔｒｏｎｉｃｓ  Ｅｎｇｉｎｅｅｒｓ）８０２．１１シリーズ等を用いることができる。
【０１２５】
また、第２の実施の形態では、識別情報と配信ログの情報とが一致した場合、ダウンロードコンテンツサーバ３の処理制御部３３が楽曲データをロッカーサーバ４に送信してから、コンピュータ１と記録再生装置２とが、この楽曲データを消去するようにした。しかし、この場合、記録再生装置２が楽曲データを消去してから、ダウンロードコンテンツサーバ３の処理制御部３３が、記憶装置３１から読み出した楽曲データをロッカーサーバ４に送信するようにすることもできる。
【０１２６】
また、記録媒体は、ＭＤ（ＭＤ：Ｍｉｎｉ  Ｄｉｓｋ）に限られるものではなく、ＤＶＤ（Ｄｉｇｉｔａｌ  Ｖｅｒｓａｔｉｌｅ  Ｄｉｓｋ）、ＭＯ（Ｍａｇｎｅｔｏ  Ｏｐｔｉｃａｌ  ｄｉｓｋ）であってもよい。
【０１２７】
また、コンピュータを、再生装置の全部又は一部として動作させ、あるいは、上述の処理を実行させるためのプログラムを、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＤＶＤ（Ｄｉｇｉｔａｌ  Ｖｅｒｓａｔｉｌｅ  Ｄｉｓｋ）などのコンピュータ読み取り可能な記録媒体に格納して配布し、これを他のコンピュータにインストールし、上述の手段として動作させ、あるいは、上述の工程を実行させてもよい。さらに、これらのプログラムを、上記コンピュータ読み取り可能な記録媒体に格納して配布するものとしてもよいし、インターネット上のサーバ装置が有するディスク装置等にプログラムを格納しておき、例えば、搬送波に重畳させて、コンピュータがダウンロード等するものとしてもよい。
【０１２８】
【発明の効果】
以上説明したように、本発明によれば、データの不正な複製を防止することができる。
【図面の簡単な説明】
【図１】本発明の第１の実施の形態に係るデータ配信システムの構成を示すブロック図である。
【図２】図１のコンピュータの構成を示すブロック図である。
【図３】記録再生用ディスクに形成された各領域を説明するための説明図である。
【図４】図１の記録再生装置の構成を示すブロック図である。
【図５】図１のダウンロードコンテンツサーバの構成を示すブロック図である。
【図６】第１の実施の形態に係るデータ配信システムの動作を示すフローチャート（その１）である。
【図７】第１の実施の形態に係るデータ配信システムの動作を示すフローチャート（その２）である。
【図８】本発明の第２の実施の形態に係るデータ配信システムにおけるダウンロードコンテンツサーバが記憶する配信ログの一例を示す説明図である。
【図９】第２の実施の形態に係るデータ配信システムの配信処理を示すフローチャートである。
【図１０】第２の実施の形態に係るデータ配信システムのデータ送信処理を示すフローチャート（その１）である。
【図１１】第２の実施の形態に係るデータ配信システムのデータ送信処理を示すフローチャート（その２）である。
【符号の説明】
１  コンピュータ
２  記録再生装置
３  ダウンロードコンテンツサーバ
４  ロッカーサーバ
１００  記録再生用ディスク
【図１】
2004185706.tif 000003
【図２】
2004185706.tif 000004
【図３】
2004185706.tif 000005
【図４】
2004185706.tif 000006
【図５】
2004185706.tif 000007
【図６】
2004185706.tif 000008
【図７】
2004185706.tif 000009
【図８】
2004185706.tif 000010
【図９】
2004185706.tif 000011
【図１０】
2004185706.tif 000012
【図１１】
2004185706.tif 000013